(57)【要約】【課題】入浴介助を簡便化する。【解決手段】無数の微細な閉気孔を包含し少なくとも自重に抗い浴湯中にて浮上する素材で形成した浮体１の上部に被介助者の腰掛部２を設けることによって、浮体１に働く浮力と、浮体１沈降時に浮体１下面に働く浴湯による抵抗力とにより、被介助者の浴湯中への沈降を遅延させる。【選択図】図１
2008200154.tif 000002
【特許請求の範囲】
【請求項１】
無数の微細な閉気孔を包含し少なくとも自重に抗い浴湯中にて浮上する素材で形成した浮体の上部に被介助者の腰掛部を設けたことを特徴とする入浴介助用具。
【請求項２】
浮体の上部にして後部側に腰掛部を突設し、該腰掛部の前方で浮体の上部にして前部側を足置部としたことを特徴とする請求項１記載の入浴介助用具。
【請求項３】
浮体の上下方向に通水孔を複数貫設し、該通水孔に栓体を着脱自在に嵌設したことを特徴とする請求項１又は２記載の入浴介助用具。
【請求項４】
腰掛部に被介助者の受承部を陥没形成したことを特徴とする請求項１、２又は３記載の入浴介助用具。
【請求項５】
受承部に滑止加工を施したことを特徴とする請求項１、２、３又は４記載の入浴介助用具。
【請求項６】
腰掛部の後部に背凭れを着脱自在に設けたことを特徴とする請求項１、２、３、４又は５記載の入浴介助用具。
【発明の詳細な説明】
【技術分野】
【０００１】
本発明は、軽度の介助が必要な被介助者の入浴時に有用な入浴介助用具に関する。
【背景技術】
【０００２】
従来より、入浴を介助するための装置が数多く提供されており、例えば、下記特許文献１のものにあっては、浴槽の上端部に装着固定されるフレームに昇降装置を取り付け、該昇降装置により繰り出し、また巻き取られる可撓性部材の先端に座部を吊り下げ、昇降装置の駆動により座部を上下動させ、かかる座部に被介助者を腰掛けさせることで、入浴を介助する様にしていた。
又、その他にも浴槽の中に設置されるジャキの上端にベッドを設けたもの、或いは、キャスターを備えた基台に支柱を立設し、該支柱にフォークを上下動自在に設け、該フォークにベッドを設けた入浴介助用装置が市販されていた。
【０００３】
【特許文献１】特開２００６−３２５６８５号公報（特許請求の範囲、図１）
【発明の開示】
【発明が解決しようとする課題】
【０００４】
ところが、上記装置はいずれも大掛かりで、軽度の介助を要する被介助者を入浴させる場合は、入浴準備に手間が掛かるばかりで難儀であったり、また特に女性が介助を行う場合は、装置の操作に戸惑いを覚えて、使用を敬遠し勝ちであったり、簡便に使用できないとの問題があった。
【課題を解決するための手段】
【０００５】
本発明は、上記の課題に鑑み、無数の微細な閉気孔を包含し少なくとも自重に抗い浴湯中にて浮上する素材で形成した浮体の上部に被介助者の腰掛部を設けることによって、浮体に働く浮力と、浮体沈降時に浮体下面に働く浴湯による抵抗力とにより、被介助者の浴湯中への沈降を遅延させる様にして、上記の課題を解決する。
【発明の効果】
【０００６】
要するに本発明は、無数の微細な閉気孔を包含し少なくとも自重に抗い浴湯中にて浮上する素材で形成した浮体の上部に被介助者の腰掛部を設けたので、被介助者は浮体を臀部に敷いたままの状態で浴湯中にて沈降し、浮体に働く浮力により、被介助者に働く重力の一部を相殺し、また浴湯中にて浮体が沈降することで、浮体下面に浴湯による抵抗力が発生し、浮力と抵抗力とにより、被介助者の浴湯中での沈降速度を遅くし、被介助者を安全に浴湯中に浸漬すると共に、被介助者を支えるのに要する労力を軽減して、介助者の負担の軽減をも図ることが出来る。
勿論、介助者が付き添わずに、要介護度の低い者が単独で入浴する場合も適用でき、本発明品の補助によって、入浴者は他人に気兼ねすることなく、安全且つ気軽に入浴を楽しむことが出来る。
そして、使用時には、浴湯上に浮体を浮かべるだけであるため、準備が容易で簡便に使用出来る。
更には、従前の入浴介助装置の様に大掛かりでなく、装置駆動の動力も不要であることから、安価である。
【０００７】
浮体の上部にして後部側に腰掛部を突設し、該腰掛部の前方で浮体の上部にして前部側を足置部としたので、被介助者は、臀部よりも足先を低い位置に置いて、安楽な姿勢をとることが出来る。
又、被介助者の体重の多くを支持するのは浮体の後部側であるが、突設した腰掛部により、後部側における浮体体積が前部側より大きく、前部側より浮力が大きいから、後部側が前部側より速く沈降するのを抑制して、沈降時の被介助者の態勢の安定化を図ることが出来る。
【０００８】
浮体の上下方向に通水孔を複数貫設し、該通水孔に栓体を着脱自在に嵌設したので、例えば、複数の通水孔のなかで一部のものだけ栓体を取り外せば、浴湯は開通された通水孔を通過し、浮体に働く抵抗力が弱くなることから、例えば、足置部の栓体を数多く取り外せば、足置部の沈降速度を速くして、沈降時の被介助者の態勢をより安定するよう調節を図ることが出来る。
【０００９】
腰掛部に被介助者の受承部を陥没形成したので、仮に沈降時に浮体が傾くことがあるとしても、受承部に被介助者の臀部が納まっているため、その場に留まって、浮体上から外れ難く、安全である。
【００１０】
受承部に微少凹凸を多数設ける等の手法により、滑止加工を施したので、受承部から被介助者の臀部がさらに外れ難くなって、より安全である。
【００１１】
腰掛部の後部に背凭れを設けたので、被介助者は浮体上にて背凭れに寄り掛かって安息に出来るばかりか、姿勢が保持され安定するため、安全性のより一層の向上を図ることが出来る。
又、着脱自在であるので、不要の場合は取り外せば、軽くなって取り扱いも容易である等その実用的効果甚だ大である。
【発明を実施するための最良の形態】
【００１２】
以下、図面に基づき本発明の一実施形態について説明する。
図１は本発明に係る入浴介助用具の上面図、図２は図１のＡ−Ａ断面図、図３は図１のＢ−Ｂ断面図である。
尚、図１において、図中左側が入浴介助用具の正面（前部）側で、図中右側が背面（後部）側である。
【００１３】
各図に示す様に、本発明の入浴介助用具は、浴槽の底面より幾分小さい平面視矩形の浮体１の上部で後部側に腰掛部２を突設し、該腰掛部２の前方で浮体１の上部にして前部側を足置部３としている。
浮体１は、少なくとも自重に抗い浴湯中にて浮上可能な素材で形成され、この様な素材としては、例えば、ウレタン樹脂、スチロール樹脂など樹脂類を発泡させ、無数の微細な閉気孔を包含させた発泡樹脂が挙げられる。
又、ＡＬＣなど無機系の発泡材でも良いが、樹脂類は使用時の肌触りが良く、また浴槽のサイズに合わせて、介助者が浮体１を切断して、調節を行うのが容易であることから、発泡樹脂の使用が望ましい。
【００１４】
浮体１は、その上下方向に通水孔４、4a…を複数貫設し、該通水孔４、4a…の上端の開口部に栓体５、5a…を着脱自在に嵌設し、また腰掛部２には被介助者が着座する受承部６を陥没形成し、該受承部６に滑止加工（図示せず。）を施している。
滑止加工の手法としては、浮体１の成形時に受承部６の表面に微少な突起又は窪みを複数設けて、受承部６の表面自体を粗面としても良いし、或いは、粗面のシート材を受承部６に接着しても良い。
尚、図示しないが足置部３にも受承部６を陥没形成しても良いし、また栓体５、5a…を通水孔４、4a…の下端側に設ける様にしたり、栓体５、5a…の脚部を長くし、脚部により通水孔４、4a…の略全域を埋める様にしても良い。
【００１５】
更には、図４及び図５に示す様に、腰掛部２の後部に背凭れ７を設けても良く、図示例の背凭れ７は、門形で後方傾斜のフレーム８の下端を屈折させて主脚９、9aを垂設し、フレーム８の上端前部に背凭れパット10を取り付け、フレーム８の後部に副脚11、11ａを枢着し、主脚９、9aと副脚11、11ａの下端を通水孔４、4a…に挿入して、着脱自在と成しているが、この形状に限定せず、要するに、着脱自在であれば良い。
【００１６】
使用時には、先ず浴槽の浴湯上に浮体１を浮かべ、この浮体１を介助者が支持した状態にて、被介助者が浮体１に搭乗し、腰掛部２に着座する。
この時、浴槽の脇に手すりを設けてある浴室であれば、被介助者は手すりを把持し、また浮体１に背凭れ７を装着している場合は、被介助者が背凭れ７に寄り掛かって、態勢が整った後、被介助者及び介助者は手を離す。
すると、被介助者は、浮体１を臀部に敷いたままの状態で浴湯中にて沈降し、浮体１に働く浮力と、浮体１が沈降することで浮体１下面に生じる抵抗力とにより、被介助者の浴湯中での沈降が遅延される。
【図面の簡単な説明】
【００１７】
【図１】本発明に係る入浴介助用具の上面図である。
【図２】図１のＡ−Ａ断面図である。
【図３】図１のＢ−Ｂ断面図である。
【図４】図１の入浴介助用具に背凭れを取り付けた状態の左側面図である。
【図５】同上背面図である。
【符号の説明】
【００１８】
１        浮体
２        腰掛部
３        足置部
４、4a…  通水孔
５、5a…  栓体
６        受承部
７        背凭れ
【図１】
2008200154.tif 000003
【図２】
2008200154.tif 000004
【図３】
2008200154.tif 000005
【図４】
2008200154.tif 000006
【図５】
2008200154.tif 000007